(57)【要約】【課題】消費電力を低減することのできる画像形成装置および画像形成装置の制御プログラムを提供する。【解決手段】画像形成装置１００は、操作パネル１３と、検知範囲ＲＧ１内で人を検知する第１の検知部と、検知範囲ＲＧ１よりも狭く、かつ画像形成装置１００に対する動作のうち操作パネル１３への操作以外の動作を受け付ける部分を含む範囲である検知範囲ＲＧ２内で人を検知する第２の検知部と、通常モードと、通常モードよりも消費電力の少ない省電力モードとを含む複数の動作モードの間で、画像形成装置１００への電力供給状態を切り替える切替手段とを備える。切替手段は、電力供給状態が省電力モードである状態で、第１の検知部にて人を検知した場合、電力供給状態を通常モードへ復帰させる復帰手段と、通常モードへ復帰させた後で、第２の検知部にて人を検知した場合に、電力供給状態を省電力モードへ移行させる第１の移行手段とを含む。【選択図】図３
2018116390.tif 000002
【特許請求の範囲】
【請求項１】
表示部と、ジョブを入力する操作を受け付ける操作部とを含む操作パネルを備えた画像形成装置であって、
第１の検知範囲内で人を検知する第１の検知手段と、
前記第１の検知範囲よりも狭く、かつ前記画像形成装置に対する動作のうち前記操作パネルへの操作以外の動作を受け付ける部分を含む範囲である第２の検知範囲内で人を検知する第２の検知手段と、
第１の電力モードと、前記第１の電力モードよりも消費電力の少ない第２の電力モードとを含む複数の動作モードの間で、前記画像形成装置への電力供給状態を切り替える切替手段とを備え、
前記切替手段は、
前記電力供給状態が前記第２の電力モードである状態で、前記第１の検知手段にて人を検知した場合、前記電力供給状態を前記第２の電力モードから前記第１の電力モードへ復帰させる復帰手段と、
前記復帰手段にて前記第１の電力モードへ復帰させた後で、前記第２の検知手段にて人を検知した場合に、前記電力供給状態を前記第１の電力モードから前記第２の電力モードへ移行させる第１の移行手段とを含む、画像形成装置。
【請求項２】
前記第１の電力モードは、前記表示部を点灯させる点灯モードと、前記表示部を消灯させる消灯モードとを含み、
前記復帰手段は、前記電力供給状態が前記第２の電力モードである状態で、前記第１の検知手段にて人を検知した場合、前記電力供給状態を前記第２の電力モードから前記消灯モードへ復帰させ、
前記第１の移行手段は、前記復帰手段にて前記消灯モードへ復帰させた後で、前記第２の検知手段にて人を検知した場合に、前記電力供給状態を前記消灯モードから前記第２の電力モードへ移行させる、請求項１に記載の画像形成装置。
【請求項３】
前記第１の検知範囲よりも狭い第３の検知範囲内で、前記操作パネルへの人の接近を検知する第３の検知手段をさらに備え、
前記切替手段は、前記電力供給状態が前記消灯モードである状態で、前記第２の検知手段にて人を検知する前に前記第３の検知手段にて前記操作パネルへの人の接近を検知した場合、前記電力供給状態を前記消灯モードから前記点灯モードへと復帰させる第１の点灯手段をさらに含む、請求項２の画像形成装置。
【請求項４】
前記第１の点灯手段は、前記電力供給状態が前記消灯モードである状態で、前記第３の検知手段にて前記操作パネルへの人の接近を検知してから第１の時間が経過するまでの間に、前記第２の検知手段にて人を検知しない場合に、前記電力供給状態を前記消灯モードから前記点灯モードへ復帰させる、請求項３に記載の画像形成装置。
【請求項５】
前記第１および第３の検知手段は、互いに異なる複数の検知範囲を有する赤外線センサーを含み、
前記第１および第３の検知手段の各々は、前記赤外線センサーの出力に基づいて人を検知する、請求項３または４に記載の画像形成装置。
【請求項６】
前記第１の検知手段は、前記複数の検知範囲の各々での出力の変化に基づいて、前記第１の検知範囲内で人を検知し、
前記第３の検知手段は、前記複数の検知範囲の各々での出力の変化に基づいて、前記第３の検知範囲内で前記操作パネルへの人の接近を検知する、請求項５に記載の画像形成装置。
【請求項７】
前記赤外線センサーは、前記複数の検知範囲として前記第１および第３の検知範囲を有しており、
前記第１の検知手段は、前記赤外線センサーの前記第１の検知範囲での出力に基づいて前記第１の検知範囲内で人を検知し、
前記第３の検知手段は、前記赤外線センサーの前記第３の検知範囲での出力に基づいて前記第３の検知範囲内で前記操作パネルへの人の接近を検知する、請求項５に記載の画像形成装置。
【請求項８】
前記電力供給状態が前記第２の電力モードである状態であって、前記第１の検知手段にて人を検知していない状態で前記第３の検知手段にて前記操作パネルへの人の接近を検知した場合、前記電力供給状態を前記第２の電力モードから前記点灯モードへ復帰させる復帰点灯手段をさらに備えた、請求項３〜７のいずれかに記載の画像形成装置。
【請求項９】
前記第２の検知範囲は、前記画像形成装置における印刷前の用紙を収容する部分である給紙カセットを含む範囲であり、
前記第１の移行手段は、前記復帰手段にて前記消灯モードへ復帰させた後で、前記第２の検知手段にて前記給紙カセットで人を検知してから第２の時間が経過するまで前記第３の検知手段にて前記操作パネルへの人の接近を検知しない場合に、前記電力供給状態を前記消灯モードから前記第２の電力モードへ移行させ、
前記切替手段は、前記復帰手段にて前記消灯モードへ復帰させた後で、前記第２の検知手段にて前記給紙カセットで人を検知してから前記第２の時間が経過するまで前記第３の検知手段にて前記操作パネルへの人の接近を検知した場合に、前記電力供給状態を前記消灯モードから前記点灯モードへ復帰させる第２の点灯手段をさらに含む、請求項３〜８のいずれかに記載の画像形成装置。
【請求項１０】
前記復帰手段にて前記消灯モードへ復帰させてから第３の時間が経過するまでの間に、前記第１および前記第２の検知手段のいずれでも人を検知しない場合に、前記電力供給状態を前記消灯モードから前記第２の電力モードへ移行させる第２の移行手段をさらに備えた、請求項２〜９のいずれかに記載の画像形成装置。
【請求項１１】
前記画像形成装置の外部からの要求を受け付ける制御部をさらに備え、
前記第２の電力モードは、前記第１、第２、および第３の検知手段と、前記制御部の一部とが少なくとも動作可能な電力供給状態である、請求項１〜１０のいずれかに記載の画像形成装置。
【請求項１２】
前記第２の検知範囲は、前記画像形成装置における印刷後の用紙を排出する部分である排紙部、前記画像形成装置における印刷前の用紙を収容する部分である給紙カセット、および前記画像形成装置で使用するトナーを収容するトナーボトルを開閉するカバーのうち少なくとも１箇所を含む範囲である、請求項１〜１１のいずれかに記載の画像形成装置。
【請求項１３】
前記第１の移行手段にて前記第２の電力モードへ移行させた場合、前記第２の検知手段にて検知した人とは別の人を前記第１の検知手段にて検知するまで、前記切替手段は前記第２の電力モードを維持する、請求項１〜１２のいずれかに記載の画像形成装置。
【請求項１４】
前記電力供給状態が前記第１の電力モードである状態で、前記第１の検知手段にて人を検知しなくなった場合に、前記電力供給状態を前記第１の電力モードから前記第２の電力モードへ移行させる第３の移行手段をさらに備えた、請求項１〜１３のいずれかに記載の画像形成装置。
【請求項１５】
前記第１および第２の検知手段は、前記第１および第２の検知範囲を撮影する同一のカメラを含み、
前記第１および第２の検知手段の各々は、前記カメラの画像に基づいて人を検知する、請求項１〜１４のいずれかに記載の画像形成装置。
【請求項１６】
前記第１の検知手段は、前記第１の検知範囲を撮影した前記カメラの画像に基づいて前記第１の検知範囲内の人を検知し、
前記第２の検知手段は、前記第２の検知範囲を撮影した前記カメラの画像に基づいて前記第２の検知範囲内への人の手の侵入を検知する、請求項１５に記載の画像形成装置。
【請求項１７】
表示部と、ジョブを入力する操作を受け付ける操作部とを含む操作パネルを備えた画像形成装置の制御プログラムであって、
第１の検知範囲内で人を検知する第１の検知ステップと、
前記第１の検知範囲よりも狭く、かつ前記画像形成装置に対する動作のうち前記操作パネルへの操作以外の動作を受け付ける部分を含む範囲である第２の検知範囲内で人を検知する第２の検知ステップと、
第１の電力モードと、前記第１の電力モードよりも消費電力の少ない第２の電力モードとを含む複数の動作モードの間で、前記画像形成装置への電力供給状態を切り替える切替ステップとをコンピューターに実行させ、
前記切替ステップは、
前記電力供給状態が前記第２の電力モードである状態で、前記第１の検知ステップにて人を検知した場合、前記電力供給状態を前記第２の電力モードから前記第１の電力モードへ復帰させる復帰ステップと、
前記復帰ステップにて前記第１の電力モードへ復帰させた後で、前記第２の検知ステップにて人を検知した場合に、前記電力供給状態を前記第１の電力モードから前記第２の電力モードへ移行させる第１の移行ステップとを含む、画像形成装置の制御プログラム。
【発明の詳細な説明】
【技術分野】
【０００１】
本発明は、画像形成装置および画像形成装置の制御プログラムに関する。より特定的には、本発明は、操作パネルを備えた画像形成装置および画像形成装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
近年の環境に対する意識の向上により、画像形成装置には消費電力の低減が要求されている。この要求に応えるべく、人感センサーの検知状態によって電力の供給状態状態を切り替える画像形成装置が提案されている。この画像形成装置は、画像形成装置への人の接近を人感センサーが検知した場合に、省電力モードから通常モードへと電力供給状態を移行させる。これにより、ユーザーの待ち時間を短縮し、利便性の向上を図っている。
【０００４】
なお、消費電力の低減を図るための画像形成装置の従来の技術は、たとえば下記特許文献１および２などに開示されている。下記特許文献１には、排紙センサーが胴内フィニッシャーに排紙された紙を検知しており、第二の人感センサーで物体を検知した場合には、紙を取りに来たユーザーである可能性が高いと判断し、省電力モードから通常モードへの移行を所定時間経過後に実行する画像形成装置が開示されている。この画像形成装置は、排紙センサーが胴内フィニッシャーに排紙された紙を検知しておらず、第二の人感センサーで物体を検知した場合には、紙を取りに来たユーザーである可能性が低いと判断し、通常モードへの移行を所定時間経過前に実行する。
【０００５】
下記特許文献２には、所定の距離内に人物が存在するか否かを検知する人物検知部と、用紙排出部に排出された用紙を検知する用紙検知部と、切替制御部とを備えた画像形成装置が開示されている。切替制御部は、節電モード中に人物の存在が検知されかつ用紙検知部によって用紙が検知されない場合は、通常モードに切り替え、節電モード中に人物の存在が検知されかつ用紙検知部によって用紙が検知された場合において、人物検知時点から想定回収時間が経過するまでの間に、用紙検知部によって用紙が検知されなくなったときは、節電モードのまま維持させる。
【先行技術文献】
【特許文献】
【０００６】
【特許文献１】特開２０１４−１０８６０６号公報
【特許文献２】特開２０１４−１２４７７３号公報
【発明の概要】
【発明が解決しようとする課題】
【０００７】
従来の技術では、人感センサーにて人の接近を検知した場合でも、その接近が画像形成装置を使用する目的のものなのか、画像形成装置の付近を通過するだけのものなのかを判断することができなかった。このため、人が使用目的で接近していない場合にも省電力モードから通常モードへ移行することがあった。
【０００８】
そこで、検出範囲の異なる複数のセンサーを搭載することで、画像形成装置に対する動作（行為）が行われる範囲に人が接近したことを判断することで、画像形成装置の付近を通過するだけの人を検出しない技術も提案されている。
【０００９】
しかし、画像形成装置に対する動作が行われる範囲に接近する人の中には、画像形成装置を使用（操作）する目的の人の他、排出された用紙を取る目的の人や、画像形成装置にトナーを補給する目的の人など、画像形成装置を使用する目的以外の人も存在する。このため、従来の技術では、画像形成装置に対する動作が行われる範囲に接近する人が、使用目的の人なのか使用目的以外の人なのかを適切に判別することが難しかった。その結果、省電力モードから通常モードへ不要に復帰する事態を回避することができず、画像形成装置の消費電力を低減することができなかった。
【００１０】
本発明は、上記課題を解決するためのものであり、その目的は、消費電力を低減することのできる画像形成装置および画像形成装置の制御プログラムを提供することである。
【課題を解決するための手段】
【００１１】
本発明の一の局面に従う画像形成装置は、表示部と、ジョブを入力する操作を受け付ける操作部とを含む操作パネルを備えた画像形成装置であって、第１の検知範囲内で人を検知する第１の検知手段と、第１の検知範囲よりも狭く、かつ画像形成装置に対する動作のうち操作パネルへの操作以外の動作を受け付ける部分を含む範囲である第２の検知範囲内で人を検知する第２の検知手段と、第１の電力モードと、第１の電力モードよりも消費電力の少ない第２の電力モードとを含む複数の動作モードの間で、画像形成装置への電力供給状態を切り替える切替手段とを備え、切替手段は、電力供給状態が第２の電力モードである状態で、第１の検知手段にて人を検知した場合、電力供給状態を第２の電力モードから第１の電力モードへ復帰させる復帰手段と、復帰手段にて第１の電力モードへ復帰させた後で、第２の検知手段にて人を検知した場合に、電力供給状態を第１の電力モードから第２の電力モードへ移行させる第１の移行手段とを含む。
【００１２】
上記画像形成装置において好ましくは、第１の電力モードは、表示部を点灯させる点灯モードと、表示部を消灯させる消灯モードとを含み、復帰手段は、電力供給状態が第２の電力モードである状態で、第１の検知手段にて人を検知した場合、電力供給状態を第２の電力モードから消灯モードへ復帰させ、第１の移行手段は、復帰手段にて消灯モードへ復帰させた後で、第２の検知手段にて人を検知した場合に、電力供給状態を消灯モードから第２の電力モードへ移行させる。
【００１３】
上記画像形成装置において好ましくは、第１の検知範囲よりも狭い第３の検知範囲内で、操作パネルへの人の接近を検知する第３の検知手段をさらに備え、切替手段は、電力供給状態が消灯モードである状態で、第２の検知手段にて人を検知する前に第３の検知手段にて操作パネルへの人の接近を検知した場合、電力供給状態を消灯モードから点灯モードへと復帰させる第１の点灯手段をさらに含む。
【００１４】
上記画像形成装置において好ましくは、第１の点灯手段は、電力供給状態が消灯モードである状態で、第３の検知手段にて操作パネルへの人の接近を検知してから第１の時間が経過するまでの間に、第２の検知手段にて人を検知しない場合に、電力供給状態を消灯モードから点灯モードへ復帰させる。
【００１５】
上記画像形成装置において好ましくは、第１および第３の検知手段は、互いに異なる複数の検知範囲を有する赤外線センサーを含み、第１および第３の検知手段の各々は、赤外線センサーの出力に基づいて人を検知する。
【００１６】
上記画像形成装置において好ましくは、第１の検知手段は、複数の検知範囲の各々での出力の変化に基づいて、第１の検知範囲内で人を検知し、第３の検知手段は、複数の検知範囲の各々での出力の変化に基づいて、第３の検知範囲内で操作パネルへの人の接近を検知する。
【００１７】
上記画像形成装置において好ましくは、赤外線センサーは、複数の検知範囲として第１および第３の検知範囲を有しており、第１の検知手段は、赤外線センサーの第１の検知範囲での出力に基づいて第１の検知範囲内で人を検知し、第３の検知手段は、赤外線センサーの第３の検知範囲での出力に基づいて第３の検知範囲内で操作パネルへの人の接近を検知する。
【００１８】
上記画像形成装置において好ましくは、電力供給状態が第２の電力モードである状態であって、第１の検知手段にて人を検知していない状態で第３の検知手段にて操作パネルへの人の接近を検知した場合、電力供給状態を第２の電力モードから点灯モードへ復帰させる復帰点灯手段をさらに備える。
【００１９】
上記画像形成装置において好ましくは、第２の検知範囲は、画像形成装置における印刷前の用紙を収容する部分である給紙カセットを含む範囲であり、第１の移行手段は、復帰手段にて消灯モードへ復帰させた後で、第２の検知手段にて給紙カセットで人を検知してから第２の時間が経過するまで第３の検知手段にて操作パネルへの人の接近を検知しない場合に、電力供給状態を消灯モードから第２の電力モードへ移行させ、切替手段は、復帰手段にて消灯モードへ復帰させた後で、第２の検知手段にて給紙カセットで人を検知してから第２の時間が経過するまで第３の検知手段にて操作パネルへの人の接近を検知した場合に、電力供給状態を消灯モードから点灯モードへ復帰させる第２の点灯手段をさらに含む。
【００２０】
上記画像形成装置において好ましくは、復帰手段にて消灯モードへ復帰させてから第３の時間が経過するまでの間に、第１および第２の検知手段のいずれでも人を検知しない場合に、電力供給状態を消灯モードから第２の電力モードへ移行させる第２の移行手段をさらに備える。
【００２１】
上記画像形成装置において好ましくは、画像形成装置の外部からの要求を受け付ける制御部をさらに備え、第２の電力モードは、第１、第２、および第３の検知手段と、制御部の一部とが少なくとも動作可能な電力供給状態である。
【００２２】
上記画像形成装置において好ましくは、第２の検知範囲は、画像形成装置における印刷後の用紙を排出する部分である排紙部、画像形成装置における印刷前の用紙を収容する部分である給紙カセット、および画像形成装置で使用するトナーを収容するトナーボトルを開閉するカバーのうち少なくとも１箇所を含む範囲である。
【００２３】
上記画像形成装置において好ましくは、第１の移行手段にて第２の電力モードへ移行させた場合、第２の検知手段にて検知した人とは別の人を第１の検知手段にて検知するまで、切替手段は第２の電力モードを維持する。
【００２４】
上記画像形成装置において好ましくは、電力供給状態が第１の電力モードである状態で、第１の検知手段にて人を検知しなくなった場合に、電力供給状態を第１の電力モードから第２の電力モードへ移行させる第３の移行手段をさらに備える。
【００２５】
上記画像形成装置において好ましくは、第１および第２の検知手段は、第１および第２の検知範囲を撮影する同一のカメラを含み、第１および第２の検知手段の各々は、カメラの画像に基づいて人を検知する。
【００２６】
上記画像形成装置において好ましくは、第１の検知手段は、第１の検知範囲を撮影したカメラの画像に基づいて第１の検知範囲内の人を検知し、第２の検知手段は、第２の検知範囲を撮影したカメラの画像に基づいて第２の検知範囲内への人の手の侵入を検知する。
【００２７】
本発明の他の局面に従う画像形成装置の制御プログラムは、表示部と、ジョブを入力する操作を受け付ける操作部とを含む操作パネルを備えた画像形成装置の制御プログラムであって、第１の検知範囲内で人を検知する第１の検知ステップと、第１の検知範囲よりも狭く、かつ画像形成装置に対する動作のうち操作パネルへの操作以外の動作を受け付ける部分を含む範囲である第２の検知範囲内で人を検知する第２の検知ステップと、第１の電力モードと、第１の電力モードよりも消費電力の少ない第２の電力モードとを含む複数の動作モードの間で、画像形成装置への電力供給状態を切り替える切替ステップとをコンピューターに実行させ、切替ステップは、電力供給状態が第２の電力モードである状態で、第１の検知ステップにて人を検知した場合、電力供給状態を第２の電力モードから第１の電力モードへ復帰させる復帰ステップと、復帰ステップにて第１の電力モードへ復帰させた後で、第２の検知ステップにて人を検知した場合に、電力供給状態を第１の電力モードから第２の電力モードへ移行させる第１の移行ステップとを含む。
【発明の効果】
【００２８】
本発明によれば、消費電力を低減することのできる画像形成装置および画像形成装置の制御プログラムを提供することができる。
【図面の簡単な説明】
【００２９】
【図１】本発明の第１の実施の形態における画像形成装置１００の外観を模式的に示す図である。
【図２】本発明の第１の実施の形態における画像形成装置１００の構成を示すブロック図である。
【図３】本発明の第１の実施の形態の画像形成装置１００における人感センサーの位置および検知範囲を模式的に示す図である。
【図４】本発明の第１の実施の形態における省電力モードの電力供給状態を示すブロック図である。
【図５】本発明の第１の実施の形態における画像形成装置１００の電力供給状態の制御動作を示すフローチャートである。
【図６】本発明の第２の実施の形態における消灯モードの電力供給状態を示すブロック図である。
【図７】本発明の第２の実施の形態における画像形成装置１００の電力供給状態の制御動作を示すフローチャートである。
【図８】本発明の第３の実施の形態における画像形成装置１００の電力供給状態の制御動作を示すフローチャートである。
【図９】本発明の第４の実施の形態における人感センサーの位置および検知範囲を模式的に示す図である。
【図１０】本発明の第５の実施の形態における人感センサーの位置および検知範囲を模式的に示す図である。
【図１１】本発明の第５の実施の形態におけるセンサー２３の出力の時間変化を模式的に示す図である。
【発明を実施するための形態】
【００３０】
以下、本発明の実施の形態について、図面に基づいて説明する。
【００３１】
以下の実施の形態では、画像形成装置がＭＦＰである場合について説明する。画像形成装置はＭＦＰである場合の他、プリンター、複写機、またはファクシミリなどであってもよい。
【００３２】
［第１の実施の形態］
【００３３】
始めに、画像形成装置の構成について説明する。
【００３４】
図１は、本発明の第１の実施の形態における画像形成装置１００の外観を模式的に示す図である。
【００３５】
図１を参照して、本実施の形態における画像形成装置は、ＭＦＰであり、ＡＤＦ（Ａｕｔｏ  Ｄｏｃｕｍｅｎｔ  Ｆｅｅｄｅｒ）部１１と、スキャナー部１２と、操作パネル１３と、プリントエンジン部１４と、給紙カセット１５などを備えている。
【００３６】
ＡＤＦ部１１は、画像形成装置１００の上部に設けられている。ＡＤＦ部１１は、原稿トレイ１１ａに配置された原稿を、スキャナー部１２の画像読取位置に送る。
【００３７】
スキャナー部１２は、ＡＤＦ部１１の下に設けられている。スキャナー部１２は、原稿の画像を読み取る。
【００３８】
操作パネル１３は、画像形成装置１００の前面に設けられている。操作パネル１３は、各種情報を表示し、各種操作を受け付ける。
【００３９】
プリントエンジン部１４は、スキャナー部１２の下であって、給紙カセット１５の上に設けられている。プリントエンジン部１４は、画像データに基づいて用紙などへ画像を形成する。プリントエンジン部１４は、おおまかに、トナー像形成部、定着装置、および用紙搬送部などで構成される。プリントエンジン部１４は、たとえば電子写真方式で用紙に画像を形成する。トナー像形成部は、用紙に画像を形成する。トナー像形成部は、トナー像を現像する現像装置と、トナー像が形成される感光体と、感光体から用紙に画像を転写する転写部などで構成される。定着装置は、加熱ローラーおよび加圧ローラーを有する。定着装置は、加熱ローラーと加圧ローラーとでトナー像が形成された用紙を挟みながら搬送し、その用紙に加熱および加圧を行う。これにより、定着装置は、用紙に付着したトナーを溶融させて用紙に定着させ、用紙に画像を形成する。用紙搬送部は、用紙を給紙カセット１５から給紙して、画像形成装置１００の筐体の内部で搬送する。また、用紙搬送部は、印刷後の用紙を画像形成装置１００の筐体から排紙トレイ１７（排紙部の一例）などに排出する。
【００４０】
給紙カセット１５は、画像形成装置１００の下部に設けられている。給紙カセット１５は、画像形成装置１００における印刷前の用紙を収容する。
【００４１】
画像形成装置１００の前面におけるプリントエンジン部１４が設けられている位置には、カバー１８が設けられている。プリントエンジン部１４におけるカバー１８で覆われている部分には、画像形成装置１００で使用するトナーを収容するトナーボトルが設置される開口部１６が設けられている。カバー１８は、開口部１６（トナーボトル）を露出した開いた状態と開口部１６（トナーボトル）を覆った状態とを実現する。画像形成装置１００のユーザーは、カバー１８を開閉することで、画像形成装置１００内に収容されているトナーボトルを交換する。
【００４２】
図２は、本発明の第１の実施の形態における画像形成装置１００の構成を示すブロック図である。
【００４３】
図２を参照して、画像形成装置１００は、ＣＰＵ（Ｃｅｎｔｒａｌ  Ｐｒｏｃｅｓｓｉｎｇ  Ｕｎｉｔ）１０１と、記憶部１０２と、検知部１０３と、ファクシミリ１０４と、通信部１０５と、電源制御部１１０と、電源部１１１とをさらに備えている。
【００４４】
ＣＰＵ１０１は、スキャンジョブ、コピージョブ、メール送信ジョブ、およびプリントジョブなどの各種ジョブについて、制御プログラムに従って画像形成装置１００全体の制御を行う。
【００４５】
記憶部１０２は、ＲＯＭ（Ｒｅａｄ  Ｏｎｌｙ  Ｍｅｍｏｒｙ）１０２ａと、ＲＡＭ（Ｒａｎｄｏｍ  Ａｃｃｅｓｓ  Ｍｅｍｏｒｙ）１０２ｂと、ＨＤＤ（Ｈａｒｄ  Ｄｉｓｋ  Ｄｒｉｖｅ）１０２ｃとを含んでいる。ＲＯＭ１０２ａは、ＣＰＵ１０１が実行する各種制御プログラムや、各種固定データなどを記憶する。ＲＡＭ１０２ｂは、ＣＰＵ１０１のメインメモリである。ＲＡＭ１０２ｂは、ＣＰＵ１０１が制御プログラムを実行するときに必要なデータを一時的に記憶するためなどに用いられる。ＨＤＤ１０２ｃは各種情報を記憶する。
【００４６】
検知部１０３は、画像形成装置１００の周囲の所定の範囲内で人を検知する部分であり、第１の検知部１０３ａ（第１の検知手段の一例）と、第２の検知部１０３ｂ（第２の検知手段の一例）と、第３の検知部１０３ｃ（第３の検知手段の一例）とを含んでいる。第１の検知部１０３ａ、第２の検知部１０３ｂ、および第３の検知部１０３ｃの詳細については後述する。
【００４７】
なお、第３の検知部１０３ｃは必要に応じて設けられればよく、省略されてもよい。
【００４８】
ファクシミリ１０４は、他の機器との間でファクシミリデータの送受信を行う。ファクシミリ１０４は、他の機器からのファクシミリデータを受信する受信部１０４ａを含んでいる。
【００４９】
通信部１０５は、ＣＰＵ１０１からの指示に従って、ＴＣＰ／ＩＰなどの通信プロトコルによって、他の機器との通信を行う。
【００５０】
電源制御部１１０は、ＣＰＵ１０１の制御の下で、電源部１１１から画像形成装置１００への電力供給状態を制御する。
【００５１】
操作パネル１３は、ディスプレイ１３ａ（表示部の一例）と、タッチパネル１３ｂ（操作部の一例）と、電源キー１３ｃとを含んでいる。ディスプレイ１３ａは、ソフトウェアキーなどの各種情報を表示する。タッチパネル１３ｂは、ジョブを入力する操作などのディスプレイ１３ａ上への各種操作を検知する（受け付ける）。電源キー１３ｃは、画像形成装置１００をオンする（画像形成装置１００の少なくとも一部に電力供給を行う状態にする）操作またはオフする（画像形成装置１００のいずれの部分にも電力供給を行わない状態にする）操作を受け付ける。
【００５２】
図３は、本発明の第１の実施の形態の画像形成装置１００における人感センサーの位置および検知範囲を模式的に示す図である。図３（ａ）は正面図であり、図３（ｂ）は左側面図であり、図３（ｃ）は上面図である。
【００５３】
図３を参照して、画像形成装置１００は人感センサーをさらに備えている。第１の検知部１０３ａは、赤外線センサーであるセンサー２１ａを含んでいる。センサー２１ａは、操作パネル１３の下部に設けられている。これにより、第１の検知部１０３ａは、画像形成装置１００前面の広い範囲を検知範囲ＲＧ１（第１の検知範囲の一例）として有しており、検知範囲ＲＧ１内で人を検知する。
【００５４】
第１の検知部１０３ａは、画像形成装置１００の前面で人を検知するものであればよく、第１の検知部１０３ａに含まれるセンサーの設置場所および数は任意である。
【００５５】
第２の検知部１０３ｂは、赤外線センサーであるセンサー２１ｂ、２１ｃ、２１ｄ、２１ｅ、２１ｆ、２１ｇ、および２１ｈを含んでいる。センサー２１ｂ〜２１ｄは、給紙カセット１５の前面に設けられている。センサー２１ｅおよび２１ｆは、カバー１８に設けられている。センサー２１ｇおよび２１ｈは、排紙トレイ１７内部に設けられている。これにより、第２の検知部１０３ｂは、給紙カセット１５と排紙トレイ１７とカバー１８とを含む範囲を検知範囲ＲＧ２（第２の検知範囲の一例）として有しており、検知範囲ＲＧ２内で人を検知する。検知範囲ＲＧ２は検知範囲ＲＧ１よりも狭い。
【００５６】
第２の検知部１０３ｂの検知範囲ＲＧ２は、画像形成装置１００に対する動作のうち操作パネル１３への操作以外の動作（画像形成装置１００に用紙やトナーを補充する動作や、画像形成装置１００から印刷後の用紙を取る動作など）を受け付ける部分を含む範囲であればよく、第２の検知部１０３ｂに含まれるセンサーの設置場所および数は任意である。検知範囲ＲＧ２は、給紙カセット１５、排紙トレイ１７、およびカバー１８のうち少なくとも１箇所を含む範囲であることが好ましい。
【００５７】
検知範囲ＲＧ２は、排紙トレイ１７全体を含んでいてもよいし、排紙トレイ１７の開口部の周囲のみを含んでいてもよい。画像形成装置１００が後処置装置を備えている場合には、検知範囲ＲＧ２は、後処理装置の排紙トレイ上面を含んでいてもよい。
【００５８】
検知範囲ＲＧ２は、給紙カセット１５の引き出し用の取っ手の本体外周より内側を含んでいることが好ましい。これにより、画像形成装置１００の近傍に人が立った場合に検知しないようすることがきる。また、第２の検知部１０３ｃは、給紙カセット１５の開閉検知に使用されているセンサーを使用して、給紙カセット１５が開けられたことで人を検知するものであってもよい。
【００５９】
検知範囲ＲＧ２は、同様に、トナーボトルのセットを行うためのカバー１８の取手の本体内側部分を含んでいてもよい。また、第２の検知部１０３ｂは、カバー１８の開閉検知に使用されているセンサーを使用して、カバー１８が開けられたことで人を検知するものであってもよい。
【００６０】
第３の検知部１０３ｃは、赤外線センサーであるセンサー２１ｉを含んでいる。センサー２１ｉは、操作パネル１３の前面に設けられている。これにより、第３の検知部１０３ｃは、操作パネル１３を含む範囲を検知範囲ＲＧ３（第３の検知範囲の一例）として有しており、検知範囲ＲＧ３内で操作パネル１３への人の接近を検知する。検知範囲ＲＧ３は検知範囲ＲＧ１よりも狭い。
【００６１】
なお、第３の検知部１０３ｃの検知範囲は、操作パネル１３の上面で画像形成装置１００本体外周より内側に設定されてもよい。これにより、画像形成装置１００の近傍に人が立った場合に第３の検知部１０３ｃが検知しないようにすることができる。
【００６２】
第３の検知部１０３ｃの検知範囲ＲＧ３は、操作パネル１３を含む範囲であればよく、第３の検知部１０３ｃに含まれるセンサーの設置場所および数は任意である。
【００６３】
本実施の形態において、電源制御部１１０（切替手段の一例）は、ＣＰＵ１０１の制御の下で、通常モード（第１の電力モードの一例）と、通常モードよりも消費電力の少ない省電力モード（第２の電力モードの一例）とを含む複数の動作モードの間で、画像形成装置１００への電力供給状態を切り替える。
【００６４】
通常モードでは、画像形成装置１００における電力供給が必要な全ての部材に電力が供給される。なお、通常モードは省電力モードよりも消費電力が大きければよく、画像形成装置の一部の部材に電力が供給されていない状態であってもよい。一方、省電力モードでは、画像形成装置１００における一部のみに電力が供給される。
【００６５】
図４は、本発明の第１の実施の形態における省電力モードの電力供給状態を示すブロック図である。なお図４では、電力が供給される部材のブロックを無地で示しており、電力が供給されない部材のブロックをハッチングで示している。
【００６６】
図４を参照して、具体的には、省電力モードでは、常に動作する必要がある部材であるＣＰＵ１０１、電源制御部１１０、検知部１０３、および通信部１０５には、通常モードの場合と同様に電力が供給される。記憶部１０２には、必要な一時記憶データを保持しておく必要のあるＲＡＭ１０２ｂのみに電力が供給され、それ以外の部材への電力の供給は遮断される。ファクシミリ１０４には、省電力モードでも外部機器からのファクシミリデータを受信可能とするために受信部１０４ａのみに電力が供給され、それ以外の部材への電力の供給は遮断される。操作パネル１３には、省電力モードでもユーザーによる操作を検知可能とするためにタッチパネル１３ｂおよび電源キー１３ｃには電力が供給され、ディスプレイ１３ａへの電力の供給は遮断される。ＡＤＦ部１１、スキャナー部１２、およびプリントエンジン部１４への電力の供給は遮断される。
【００６７】
なお、省電力モードは、検知部１０３と、画像形成装置１００の外部からの要求を受け付ける制御部（ＣＰＵ１０１、受信部１０４ａ、および通信部１０５）の一部とが少なくとも動作可能な電力供給状態であることが好ましい。
【００６８】
続いて、本実施の形態における画像形成装置１００の電力供給状態の制御動作について説明する。
【００６９】
電源制御部１１０は、ＣＰＵ１０１の制御の下で次の動作を行う。電源制御部１１０は、電力供給状態が省電力モードである状態で、第１の検知部１０３ａにて人を検知した場合、電力供給状態を省電力モードから通常モードへ復帰させる。電源制御部１１０は、通常モードへ復帰させた後で、第２の検知部１０３ｂにて人を検知した場合に、電力供給状態を通常モードから省電力モードへ移行させる。
【００７０】
電源制御部１１０は、第２の検知部１０３ｂにて人を検知して電力供給状態を通常モードから省電力モードへ移行させた場合、第２の検知部１０３ｂにて検知した人とは別の人を第１の検知部１０３ａにて検知するまで、省電力モードを維持する。
【００７１】
さらに電源制御部１１０は、電力供給状態が通常モードである状態で、第１の検知部１０３ａにて人を検知しなくなった場合に、電力供給状態を通常モードから省電力モードへ移行させる。
【００７２】
図５は、本発明の第１の実施の形態における画像形成装置１００の電力供給状態の制御動作を示すフローチャートである。なお、図５では、第３の検知部１０３ｃが省略された場合（第３の検知部１０３ｃを用いない場合）の制御動作を示している。
【００７３】
図５を参照して、ＣＰＵ１０１は、必要なタイミングで電力供給状態を省電力モードに移行し（Ｓ１）、第１の検知部１０３ａによって検知範囲ＲＧ１内で人を検知したか否かを判別する（Ｓ３）。第１の検知部１０３ａによって検知範囲ＲＧ１内で人を検知したと判別するまで、ＣＰＵ１０１はステップＳ３の処理を繰り返す。
【００７４】
ステップＳ３において、第１の検知部１０３ａによって検知範囲ＲＧ１内で人を検知したと判別した場合（Ｓ３でＹＥＳ）、ＣＰＵ１０１は、電力供給状態を通常モードに復帰させる（Ｓ５）。続いてＣＰＵ１０１は、第２の検知部１０３ｂによって検知範囲ＲＧ２内で人を検知したか否かを判別する（Ｓ７）。
【００７５】
ステップＳ７において、第２の検知部１０３ｂによって検知範囲ＲＧ２内で人を検知したと判別した場合（Ｓ７でＹＥＳ）、ＣＰＵ１０１は、第１の検知部１０３ａで検知した人が、画像形成装置１００を使用する目的以外（給紙カセット１５に用紙を補充する目的、排紙トレイ１７から用紙を取る目的、またはカバー１８を開いてトナーボトルを交換する目的など）で画像形成装置１００に接近したと判断する。この場合、ＣＰＵ１０１は、電力供給状態を省電力モードに移行する（Ｓ９）。続いてＣＰＵ１０１は、第１の検知部１０３ａによって検知範囲ＲＧ１内で新たな人（第２の検知部１０３ｂで検知した人とは別の人）を検知したか否かを判別する（Ｓ１１）。第１の検知部１０３ａによって検知範囲ＲＧ１内で新たな人を検知したと判別するまで、ＣＰＵ１０１は、ステップＳ１１の処理を繰り返し、省電力モードを維持する。これにより、画像形成装置１００を使用する目的以外で接近した人が画像形成装置１００の操作領域内にいる間に省電力モードから通常モードに不要に復帰する事態を回避することができる。
【００７６】
ステップＳ１１において、第１の検知部１０３ａによって検知範囲ＲＧ１内で新たな人を検知したと判別した場合（Ｓ１１でＹＥＳ）、ＣＰＵ１０１は、ステップＳ５の処理へ進み、電力供給状態を通常モードに復帰させる。
【００７７】
ステップＳ７において、第２の検知部１０３ｂによって検知範囲ＲＧ２内で人を検知しないと判別した場合（Ｓ７でＮＯ）、ＣＰＵ１０１は、第１の検知部１０３ａによって検知範囲ＲＧ１内で人を検知したか否かを判別する（Ｓ１３）。
【００７８】
ステップＳ１３において、第１の検知部１０３ａによって検知範囲ＲＧ１内で人を検知したと判別した場合（Ｓ１３でＹＥＳ）、ＣＰＵ１０１は、ステップＳ７の処理へ進む。
【００７９】
ステップＳ１３において、第１の検知部１０３ａによって検知範囲ＲＧ１内で人を検知しないと判別した場合（Ｓ１３でＮＯ）、ＣＰＵ１０１は、第１の検知部１０３ａで検知した人は画像形成装置１００の付近を単に通過した人であったと判断する。またはＣＰＵ１０１は、第１の検知部１０３ａで検知した人による画像形成装置１００の使用が終了したと判断する。この場合、ＣＰＵ１０１は、ステップＳ１の処理へ進み、電力供給状態を省電力モードに移行する。これにより、画像形成装置１００の付近を無関係な人が通過した場合や、画像形成装置の使用を終えた人が省電力モードへ移行するための操作を行わずに画像形成装置から離れた場合にも、省電力モードへ移行させることができる。
【００８０】
本実施の形態によれば、人感システムを搭載した画像形成装置において、複数の人感センサーに異なる検知範囲を持たせることで、それぞれの人感センサーの検知状態に基づいて、画像形成装置へ接近してきた人が画像形成装置を使用する目的なのか、画像形成装置を使用する目的以外なのかを判断することができる。画像形成装置は、画像形成装置へ接近してきた人が画像形成装置を使用する目的であれば、直ちに動作できるように通常モードとし、画像形成装置へ接近してきた人が画像形成装置を使用する目的以外であれば省電力モードとする。これにより、積極的に省電力状態へ移行させることができ、画像形成装置の消費電力を低減することができる。
【００８１】
［第２の実施の形態］
【００８２】
本実施の形態では、通常モードは点灯モード（第１の電力供給状態）と消灯モード（第２の電力供給状態）とを含んでいる。点灯モードでは、第１の実施の形態の通常モードと同様に、画像形成装置１００における電力供給が必要な全ての部材に電力が供給され、ディスプレイ１３ａは点灯される。
【００８３】
図６は、本発明の第２の実施の形態における消灯モードの電力供給状態を示すブロック図である。なお図６では、電力が供給される部材のブロックを無地で示しており、電力が供給されない部材のブロックをハッチングで示している。
【００８４】
図６を参照して、消灯モードでは、ディスプレイ１３ａ（ディスプレイ１３ａのコントローラー）を除く画像形成装置１００における電力供給が必要な全ての部材に電力が供給され、ディスプレイ１３ａには電力が供給されず、ディスプレイ１３ａは消灯される。
【００８５】
なお、点灯モードおよび消灯モードは、ディスプレイ１３ａの点灯状態のみが異なるものであり、画像形成装置の他の部材への電力供給状態は任意である。消灯モードの消費電力は、点灯モードの消費電力よりも少ない。省電力モードの消費電力は、消灯モードの消費電力よりも少ない。
【００８６】
続いて、本実施の形態における画像形成装置１００の電力供給状態の制御動作について説明する。
【００８７】
電源制御部１１０は、ＣＰＵ１０１の制御の下で次の動作を行う。電源制御部１１０は、電力供給状態が省電力モードである状態で、第１の検知部１０３ａにて人を検知した場合、電力供給状態を省電力モードから消灯モードへ復帰させる。電源制御部１１０は、消灯モードへ復帰させた後で、第２の検知部１０３ｂにて人を検知した場合に、電力供給状態を消灯モードから省電力モードへ移行させる。
【００８８】
なお、消灯モードから点灯モードへ復帰させるタイミングは任意であり、たとえばディスプレイ１３ａへのタッチを検知した場合などであればよい。
【００８９】
図７は、本発明の第２の実施の形態における画像形成装置１００の電力供給状態の制御動作を示すフローチャートである。なお、図７では、第３の検知部１０３ｃが省略された場合（第３の検知部１０３ｃを用いない場合）の制御動作を示している。
【００９０】
図７を参照して、このフローチャートは、ステップＳ３において、第１の検知部１０３ａによって検知範囲ＲＧ１内で人を検知したと判別した場合（Ｓ３でＹＥＳ）、およびステップＳ１１において、第１の検知部１０３ａによって検知範囲ＲＧ１内で新たな人を検知したと判別した場合（Ｓ１１でＹＥＳ）に、電力供給状態を消灯モードに復帰させる（ステップＳ２１）点において、図５に示す第１の実施の形態におけるフローチャートと異なっている。ステップＳ２１において、電力供給状態を消灯モードに復帰させた後、ＣＰＵ１０１はステップＳ１０７の処理へ進む。
【００９１】
なお、本実施の形態における画像形成装置の構成および上述以外の動作は、第１の実施の形態の場合と同様であるため、その説明は繰り返さない。
【００９２】
本実施の形態によれば、電力供給状態として消灯モードを設けることで、必要な場合にディスプレイを点灯させることで即時に画像形成装置が動作可能な状態で待機することができ、画像形成装置を使用するユーザーの待ち時間を短縮することできる。
【００９３】
［第３の実施の形態］
【００９４】
本実施の形態においても、第２の実施の形態と同様に、通常モードは点灯モードと消灯モードとを含んでいる。本実施の形態において、電源制御部１１０は、ＣＰＵ１０１の制御の下で次の動作を行う。電源制御部１１０は、電力供給状態が消灯モードである状態で、第２の検知部１０３ｂにて人を検知する前に第３の検知部１０３ｃにて操作パネル１３への人の接近を検知した場合、電力供給状態を消灯モードから点灯モードへと復帰させる。
【００９５】
電源制御部１１０は、電力供給状態が消灯モードである状態で、第３の検知部１０３ｃにて操作パネル１３への人の接近を検知してから第１の時間が経過するまでの間に、第２の検知部１０３ｂにて人を検知しない場合に、電力供給状態を消灯モードから点灯モードへ復帰させる。
【００９６】
電源制御部１１０は、電力供給状態が省電力モードである状態であって、第１の検知部１０３ａにて人を検知していない状態で第３の検知部１０３ｃにて操作パネル１３への人の接近を検知した場合、電力供給状態を省電力モードから点灯モードへ復帰させる。
【００９７】
電源制御部１１０は、消灯モードへ復帰させた後で、第２の検知部１０３ｂにて給紙カセット１５で人を検知してから第２の時間が経過するまで第３の検知部１０３ｃにて操作パネル１３への人の接近を検知しない場合に、電力供給状態を消灯モードから省電力モードへ移行させる。一方、電源制御部１１０は、消灯モードへ復帰させた後で、第２の検知部１０３ｂにて給紙カセット１５で人を検知してから第２の時間が経過するまで第３の検知部１０３ｂにて操作パネル１３への人の接近を検知した場合に、電力供給状態を消灯モードから点灯モードへ復帰させる。
【００９８】
さらに、電源制御部１１０は、第１の検知部１０３ａにて人を検知して省電力モードから消灯モードへ復帰させてから第３の時間が経過するまでの間に、第１の検知部１０３ａおよび第２の検知部１０３ｂのいずれでも人を検知しない場合に、電力供給状態を消灯モードから省電力モードへ移行させる。
【００９９】
図８は、本発明の第３の実施の形態における画像形成装置１００の電力供給状態の制御動作を示すフローチャートである。図８では、第３の検知部１０３ｃが設けられた場合（第３の検知部１０３ｃを用いる場合）の制御動作を示している。
【０１００】
図８を参照して、ＣＰＵ１０１は、必要なタイミングで電力供給状態を省電力モードに移行し（Ｓ１０１）、第１の検知部１０３ａによって検知範囲ＲＧ１内で人を検知したか否かを判別する（Ｓ１０３）。
【０１０１】
ステップＳ１０３において、第１の検知部１０３ａによって検知範囲ＲＧ１内で人を検知したと判別した場合（Ｓ１０３でＹＥＳ）、ＣＰＵ１０１は、電力供給状態を消灯モードに復帰させる（Ｓ１０５）。続いてＣＰＵ１０１は、第３の検知部１０３ｃによって検知範囲ＲＧ３内で操作パネル１３への人の接近を検知したか否かを判別する（Ｓ１０７）。
【０１０２】
ステップＳ１０７において、第３の検知部１０３ｃによって検知範囲ＲＧ３内で操作パネル１３への人の接近を検知したと判別した場合（Ｓ１０７でＹＥＳ）、ＣＰＵ１０１は、所定時間の間に、第２の検知部１０３ｂによって検知範囲ＲＧ２内で人を検知したか否かを判別する（Ｓ１０９）。
【０１０３】
ステップＳ１０９において、第２の検知部１０３ｂによって検知範囲ＲＧ２内で人を検知したと判別した場合（Ｓ１０９でＹＥＳ）、ＣＰＵ１０１は、第３の検知部１０３ｃで検知した人が、画像形成装置１００を使用する目的以外（給紙カセット１５に用紙を補充する目的、排紙トレイ１７から用紙を取る目的、またはカバー１８を開いてトナーボトルを交換する目的など）で画像形成装置１００に接近したと判断する。この場合、ＣＰＵ１０１は、ステップＳ１０１の処理へ進み、電力供給状態を省電力モードに移行する。
【０１０４】
ステップＳ１０９において、第２の検知部１０３ｂによって検知範囲ＲＧ２内で人を検知しないと判別した場合（Ｓ１０９でＮＯ）、ＣＰＵ１０１は、所定の時間が経過したか否かを判別する（Ｓ１１１）。
【０１０５】
ステップＳ１１１における所定の時間は、人の手が第３の検知部１０３ｃの検知範囲ＲＧ３を通過した後、第２の検知部１０３ｂの検知範囲ＲＧ２に到達し、排紙トレイ１７の用紙を取るまでの時間に基づいて決められることが好ましい。
【０１０６】
ステップＳ１１１において、所定の時間が経過しないと判別した場合（Ｓ１１１でＮＯ）、ＣＰＵ１０１は、ステップＳ１０９の処理へ進む。
【０１０７】
ステップＳ１１１において、所定の時間が経過したと判別した場合（Ｓ１１１でＹＥＳ）、ＣＰＵ１０１は、画像形成装置１００を使用する目的の人が操作パネル１３を操作しようとしたと判断する。この場合、ＣＰＵ１０１は、電力供給状態を点灯モードに復帰させる（Ｓ１１３）。
【０１０８】
上述のように、所定時間の間に、第２の検知部１０３ｂによって検知範囲ＲＧ２内で人を検知したか否かを判別する（Ｓ１０９およびＳ１１３）ことで、操作パネル１３付近を経由して排紙トレイ１７に用紙を取りに来た人によって電力供給状態が省電力モードから不要に復帰する事態を回避することができる。
【０１０９】
ステップＳ１０３において、第１の検知部１０３ａによって検知範囲ＲＧ１内で人を検知しないと判別した場合（Ｓ１０３でＮＯ）、ＣＰＵ１０１は、第３の検知部１０３ｃによって検知範囲ＲＧ３内で操作パネル１３への人の接近を検知したか否かを判別する（Ｓ１１５）。
【０１１０】
ステップＳ１１５において、第３の検知部１０３ｃによって検知範囲ＲＧ３内で操作パネル１３への人の接近を検知しないと判別した場合（Ｓ１１５でＮＯ）、ＣＰＵ１０１はステップＳ１０３の処理へ進む。
【０１１１】
ステップＳ１１５において、第３の検知部１０３ｃによって検知範囲ＲＧ３内で操作パネル１３への人の接近を検知したと判別した場合（Ｓ１１５でＹＥＳ）、ＣＰＵ１０１は、ステップＳ１１３の処理へ進み、電力供給状態を点灯モードに復帰させる（Ｓ１１３）。これにより、第１の検知部１０３ａの検知範囲ＲＧ１を経由せずに画像形成装置１００に人が接近してきた場合に、省電力モードから復帰させることができる。
【０１１２】
ステップＳ１０７において、第３の検知部１０３ｃによって検知範囲ＲＧ３内で操作パネル１３への人の接近を検知しないと判別した場合（Ｓ１０７でＮＯ）、ＣＰＵ１０１は、第２の検知部１０３ｂによって検知範囲ＲＧ２内で人を検知したか否かを判別する（Ｓ１１７）。
【０１１３】
ステップＳ１１７において、第２の検知部１０３ｂによって検知範囲ＲＧ２内で人を検知しないと判別した場合（Ｓ１１７でＮＯ）、ＣＰＵ１０１は、所定の時間が経過したか否かを判別する（Ｓ１２５）。
【０１１４】
ステップＳ１２５において、所定の時間が経過しないと判別した場合（Ｓ１２５でＮＯ）、ＣＰＵ１０１はステップＳ１０７の処理へ進む。
【０１１５】
ステップＳ１２５において、所定の時間が経過したと判別した場合（Ｓ１２５でＹＥＳ）、ＣＰＵ１０１は、第１の検知部１０３ａにて検知した人は画像形成装置を使用する目的ではないと判断する。この場合、ＣＰＵ１０１は、ステップＳ１０１の処理へ進み、電力供給状態を省電力モードに移行させる。
【０１１６】
ステップＳ１２５における所定の時間は、人が第１の検知部１０３ａの検知範囲ＲＧ１に進入してから画像形成装置１００へ動作を行う領域に到達し、画像形成装置１００に対する動作（操作パネル１３への操作を含む）を行うまでの時間に基づいて決められることが好ましい。
【０１１７】
ステップＳ１１７において、第２の検知部１０３ｂによって検知範囲ＲＧ２内で人を検知したと判別した場合（Ｓ１１７でＹＥＳ）、ＣＰＵ１０１は、第２の検知部１０３ｂにて検知した人は給紙カセット１５付近に存在するか否かを判別する（Ｓ１１９）。
【０１１８】
ステップＳ１１９において、第２の検知部１０３ｂにて検知した人は給紙カセット１５付近に存在しないと判別した場合（Ｓ１１９でＮＯ）、ＣＰＵ１０１はステップＳ１０１の処理へ進み、電力供給状態を省電力モードに移行させる。
【０１１９】
ステップＳ１１９において、第２の検知部１０３ｂにて検知した人は給紙カセット１５付近に存在すると判別した場合（Ｓ１１９でＹＥＳ）、ＣＰＵ１０１は、第３の検知部１０３ｃによって検知範囲ＲＧ３内で操作パネル１３への人の接近を検知したか否かを判別する（Ｓ１２１）。
【０１２０】
ステップＳ１２１において、第３の検知部１０３ｃによって検知範囲ＲＧ３内で操作パネル１３への人の接近を検知しないと判別した場合（Ｓ１２１でＮＯ）、ＣＰＵ１０１は、所定の時間が経過したか否かを判別する（Ｓ１２３）。
【０１２１】
ステップＳ１２３において、所定の時間が経過したと判別した場合（Ｓ１２３でＹＥＳ）、ＣＰＵ１０１は、第２の検知部１０３ｂにて検知した人が、単に給紙カセット１５に用紙を給紙したと判断する。この場合、ＣＰＵ１０１はステップＳ１０１の処理へ進み、電力供給状態を省電力モードに移行する。
【０１２２】
ステップＳ１２３において、所定の時間が経過しないと判別した場合（Ｓ１２３でＮＯ）、ＣＰＵ１０１はステップＳ１２１の処理へ進む。
【０１２３】
ステップＳ１２１において、第３の検知部１０３ｃによって検知範囲ＲＧ３内で操作パネル１３への人の接近を検知したと判別した場合（Ｓ１２１でＹＥＳ）、ＣＰＵ１０１は、第２の検知部１０３ｂで検知した人が、給紙カセット１５に用紙を補給して直ちに画像形成装置１００を使用しようとしていると判断する。この場合ＣＰＵ１０１は、電力供給状態を点灯モードに復帰させる（Ｓ１１３）。
【０１２４】
ステップＳ１２３における所定の時間は、人が給紙カセット１５に用紙を補給した後、操作パネル１３に対して何らかの操作を行うまでの時間に基づいて決められることが好ましい。
【０１２５】
ステップＳ１１３にて電力供給状態を点灯モードに復帰させた後、ＣＰＵ１０１は、画像形成装置１００が所定の条件を満たしているか否かを判別する（Ｓ１１４）。ステップＳ１１４における所定の条件は任意であり、たとえば、第１の検知部１０３ａ、第２の検知部１０３ｂ、および第３の検知部１０３ｃのいずれも人を検知しないことであってもよい。画像形成装置１００が所定の条件を満たしていると判別するまで、ＣＰＵ１０１はステップＳ１１４の処理を繰り返す。
【０１２６】
ステップＳ１１４において、画像形成装置１００が所定の条件を満たしていると判別した場合（Ｓ１１４でＹＥＳ）、ＣＰＵ１０１はステップＳ１０１の処理へ進み、電力供給状態を省電力モードに移行する。
【０１２７】
なお、本実施の形態における画像形成装置の構成および上述以外の動作は、第１の実施の形態の場合と同様であるため、その説明は繰り返さない。
【０１２８】
本実施の形態によれば、第１〜第３の検知部の各々による検知結果に基づいて、電力供給状態を点灯モード、消灯モード、および省電力モードの間で切り替えるため、消費電力をより効率的に低減することができる。
【０１２９】
［第４の実施の形態］
【０１３０】
本実施の形態では、画像形成装置１００の人感センサーの第１の変形例の構成について説明する。
【０１３１】
図９は、本発明の第４の実施の形態における人感センサーの位置および検知範囲を模式的に示す図である。
【０１３２】
図９を参照して、第１の検知部１０３ａおよび第２の検知部１０３ｂは、人感センサーとして、検知範囲ＲＧ１およびＲＧ２を撮影するカメラ２２を含んでいる。カメラ２２は、画像形成装置１００の前面におけるスキャナー部１２と排紙トレイ１７との間の位置に設けられている。カメラ２２は、検知範囲ＲＧ１およびＲＧ２の画像を撮影するものであればよく、その設置場所は任意である。
【０１３３】
カメラ２２は、第１の検知部１０３ａおよび第２の検知部１０３ｂによって兼用される。すなわち、第１の検知部１０３ａは、カメラ２２で撮影した検知範囲ＲＧ１の画像に基づいて検知範囲ＲＧ１内の人を検知する。第２の検知部１０３ｂは、カメラ２２で撮影した検知範囲ＲＧ２の画像に基づいて検知範囲ＲＧ２内への人の手の進入を検知する。検知範囲ＲＧ２は検知範囲ＲＧ１の一部となっている。
【０１３４】
一例として、第１の検知部１０３ａは、カメラ２２で撮影した検知範囲ＲＧ１の画像に人体全体を示す特徴が含まれている場合に、検知範囲ＲＧ１内で人を検知する。また第２の検知部１０３ｂは、カメラ２２で撮影した検知範囲ＲＧ２（給紙カセット１５、排紙トレイ１７、またはカバー１８の付近）の画像に人の手を示す特徴が含まれている場合に、検知範囲ＲＧ２内で人を検知する。
【０１３５】
なお、本実施の形態における画像形成装置の上述以外の構成および動作は、第１の実施の形態の場合と同様であるため、その説明は繰り返さない。
【０１３６】
本実施の形態によれば、簡素な構成で第１の検知部１０３ａおよび第２の検知部１０３ｂを実現することができる。
【０１３７】
［第５の実施の形態］
【０１３８】
本実施の形態では、画像形成装置１００の人感センサーの第２の変形例の構成について説明する。
【０１３９】
図１０は、本発明の第５の実施の形態における人感センサーの位置および検知範囲を模式的に示す図である。
【０１４０】
図１０を参照して、第１の検知部１０３ａおよび第３の検知部１０３ｃは、人感センサーとして、互いに異なる複数の検知範囲を有する（言い換えれば複眼の）赤外線センサーであるセンサー２３を含んでいる。第１の検知部１０３ａおよび第３の検知部１０３ｃの各々は、センサー２３の出力に基づいて人を検知する。センサー２３は、操作パネル１３の前面に設けられている。センサー２３は、検知範囲ＲＧ１内および検知範囲ＲＧ３内で人を検知する際に使用されるものであればよく、その設置場所は任意である。
【０１４１】
図１１は、本発明の第５の実施の形態におけるセンサー２３の出力の時間変化を模式的に示す図である。
【０１４２】
図１０および図１１を参照して、センサー２３は、主に操作パネル１３よりも上部の領域を含む検知範囲である上部検知範囲と、主に操作パネル１３よりも下部の領域を含む検知範囲である下部検知範囲とを有している。
【０１４３】
人が画像形成装置１００に接近して検知範囲ＲＧ１内に入った場合、人の身体は主に下部検知範囲に存在している。このため、図１０（ａ）に示すように、センサー２３の下部検知範囲の出力が急激に増加し、その後センサー２３の上部検知範囲の出力が緩やかに増加する。その結果、下部検知範囲の出力が所定の閾値ＴＨを超えてから十分な時間が経過した後で、上部検知範囲の出力は所定の閾値ＴＨを超える。
【０１４４】
第１の検知部１０３ａは、センサー２３の上部検知範囲および下部検知範囲の出力が閾値ＴＨを超えるタイミングの差や、センサー２３の上部検知範囲および下部検知範囲の出力の時間変化などに基づいて検知範囲ＲＧ１内で人を検知する。具体的には、第１の検知部１０３ａは、センサー２３の上部検知範囲および下部検知範囲の出力の変化が図１０（ａ）のような挙動を示す場合に、検知範囲ＲＧ１内で人を検知する。
【０１４５】
一方、人が操作パネル１３を操作しようとして検知範囲ＲＧ３内に入った場合、人の身体は主に下部検知範囲に存在しており、人の手は上部検知範囲に存在している。このため、図１０（ｂ）に示すように、センサー２３の上部検知範囲の出力と下部検知範囲の出力とはほぼ同様に増加する。その結果、下部検知範囲の出力が所定の閾値ＴＨを超えてるタイミングと、上部検知範囲の出力が所定の閾値ＴＨを超えるタイミングとは略等しくなる。
【０１４６】
第３の検知部１０３ｃは、センサー２３の上部検知範囲および下部検知範囲の出力が閾値ＴＨを超えるタイミングの差や、センサー２３の上部検知範囲および下部検知範囲の出力の時間変化などに基づいて検知範囲ＲＧ３内で操作パネル１３への人の接近を検知する。具体的には、第３の検知部１０３ｃは、センサー２３の上部検知範囲および下部検知範囲の出力の変化が図１０（ｂ）のような挙動を示す場合に、検知範囲ＲＧ３内で操作パネル１３への人の接近を検知する。
【０１４７】
またセンサー２３は、複数の検知範囲として検知範囲ＲＧ１と検知範囲ＲＧ３とを有していてもよい。この場合、第１の検知部１０３ａは、センサー２３の検知範囲ＲＧ１での出力に基づいて、検知範囲ＲＧ１内で人を検知する。第３の検知部１０３ｃは、センサー２３の検知範囲ＲＧ３での出力に基づいて、検知範囲ＲＧ３内で操作パネル１３への人の接近を検知する。
【０１４８】
なお、本実施の形態における画像形成装置の上述以外の構成および動作は、第１の実施の形態の場合と同様であるため、その説明は繰り返さない。
【０１４９】
本実施の形態によれば、簡素な構成で第１の検知部１０３ａおよび第３の検知部１０３ｃを実現することができる。
【０１５０】
［その他］
【０１５１】
上述の実施の形態は、互いに組み合わせることが可能である。たとえば、第４の実施の形態のように共通のカメラを採用した構成や、第５の実施の形態のように共通の赤外線センサーを採用した構成を用いて、第２の実施の形態や第３の実施の形態の制御動作を実現してもよい。
【０１５２】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１５３】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５４】
１１  ＡＤＦ（Ａｕｔｏ  Ｄｏｃｕｍｅｎｔ  Ｆｅｅｄｅｒ）部
１１ａ  原稿トレイ
１２  スキャナー部
１３  操作パネル
１３ａ  ディスプレイ（表示部の一例）
１３ｂ  タッチパネル（操作部の一例）
１３ｃ  電源キー
１４  プリントエンジン部
１５  給紙カセット
１６  開口部
１７  排紙トレイ
１８  カバー
２１ａ〜２１ｉ，２３  センサー
２２  カメラ
１００  画像形成装置
１０１  ＣＰＵ（Ｃｅｎｔｒａｌ  Ｐｒｏｃｅｓｓｉｎｇ  Ｕｎｉｔ）
１０２  記憶部
１０２ａ  ＲＯＭ（Ｒｅａｄ  Ｏｎｌｙ  Ｍｅｍｏｒｙ）
１０２ｂ  ＲＡＭ（Ｒａｎｄｏｍ  Ａｃｃｅｓｓ  Ｍｅｍｏｒｙ）
１０２ｃ  ＨＤＤ（Ｈａｒｄ  Ｄｉｓｋ  Ｄｒｉｖｅ）
１０３  検知部
１０３ａ  第１の検知部（第１の検知手段の一例）
１０３ｂ  第２の検知部（第２の検知手段の一例）
１０３ｃ  第３の検知部（第３の検知手段の一例）
１０４  ファクシミリ
１０４ａ  受信部
１０５  通信部
１０９  電源部
１１０  電源制御部（切替手段の一例）
１１１  電源部
ＲＧ１，ＲＧ２，ＲＧ３  検知範囲（第１、第２、および第３の検知範囲の一例）
【図１】
2018116390.tif 000003
【図２】
2018116390.tif 000004
【図３】
2018116390.tif 000005
【図４】
2018116390.tif 000006
【図５】
2018116390.tif 000007
【図６】
2018116390.tif 000008
【図７】
2018116390.tif 000009
【図８】
2018116390.tif 000010
【図９】
2018116390.tif 000011
【図１０】
2018116390.tif 000012
【図１１】
2018116390.tif 000013